(57)【要約】【課題】袋状ファイルからの書類の抜け落ちを防止するとともに、バインダーにファイルされた袋状ファイル収納されている書類の種類を容易に確認することができる袋状ファイルを提供する。【解決手段】フィルムが二重に重ねられて側部及び底部が閉じられ且つ上部に書類を出し入れする開口部が開放された袋状の書類収納部が形成され、一方の側部には綴じ代が形成され、前記綴じ代にはバーンダーの綴じ杆が通される綴じ孔が形成され、前記開口部の上部には、前記開口部を折り曲げにより覆うカバーが形成されるとともに、見出し片が形成されている袋状ファイル。【選択図】図１
2015006763.tif 000002
【特許請求の範囲】
【請求項１】
フィルムが二重に重ねられて側部及び底部が閉じられ且つ上部に書類を出し入れする開口部が開放された袋状の書類収納部が形成され、
一方の側部には綴じ代が形成され、
前記綴じ代にはバーンダーの綴じ杆が通される綴じ孔が形成され、
前記開口部の上部には、前記開口部を折り曲げにより覆うカバーが形成されるとともに、見出し片が形成されていることを特徴とする袋状ファイル。
【請求項２】
前記側部及び底部に幅が可変のマチが形成されていることを特徴とする請求項１に記載の袋状ファイル。
【請求項３】
前記綴じ代に補強片が挿入されていることを特徴とする請求項１または２に記載の袋状ファイル。
【請求項４】
前記カバーの折り曲げ部にマチが形成されていることを特徴とする請求項１〜３のいずれかに記載の袋状ファイル。
【発明の詳細な説明】
【技術分野】
【０００１】
本発明は、書類を収納してバインダーに綴じることができる、綴じ穴、書類の抜け落ち防止カバー及び見出し片を設けた袋状ファイルに関する。
【背景技術】
【０００２】
種類の整理にファイルが利用されており、特に１枚あるいは数枚からなる書類は、袋状ファイルに収納し、ファイルに形成されている綴じ孔にバインダーの綴じ具を通して綴じてまとめて保管されている。
【０００３】
袋状ファイルは、一枚の熱溶着性合成樹脂フィルムの上辺が開放され、三辺が閉じられて袋状に形成され、一側縁に帯状の綴じ代が熱溶着により形成され、綴じ代に綴り穴が形成され、この袋状ファイル内に書類を収納し、綴り孔に綴り具を通して綴じられる。この袋状ファイルは、綴じ代が弱いため綴り穴から破れるという欠点があるため、綴じ代を補強した袋状ファイルが提案されている。
【０００４】
袋状ファイルとして、例えば特許文献１には、図７に示すように、方形状で扁平な袋状ファイルが熱溶着性合成樹脂フィルム３５で形成され、一側縁に帯状の綴じ代３６が形成された袋状ファイルにおいて、綴じ代３６が、袋状ファイルの表裏面を構成する２枚の熱溶着性合成樹脂フィルム３５の間に１枚以上の帯状の熱溶着性合成樹脂フィルム３７が挟まれて溶着一体化されて収納部３８と綴じ代３６に綴じ穴３９を形成した袋状ファイルが開示されている。
【０００５】
また、特許文献２には、特許文献１の袋状ファイルと同様に、袋状ファイルを形成する合成樹脂製のフィルムが、上辺が開放され、端部が二つ折りされ、三辺が閉じられて袋状に形成され、１側部において多層構造に重ねられ、この多層構造の部分に綴じ代となる融着部が形成され、この綴じ代に適当な間隔をおいて綴じ具の綴じ杆を通す綴り孔が形成された袋状ファイルが開示されている。
【先行技術文献】
【特許文献】
【０００６】
【特許文献１】特開２００２−２５４８７０号公報
【特許文献２】特開２０００−１５８８６５号公報
【発明の概要】
【発明が解決しようとする課題】
【０００７】
前記特許文献１または２に記載されている袋状ファイルでは、その上辺に書類を出し入れするための書類出し入れ口は開放さているため、袋状ファイルが綴じられているバインダーの取扱中に、バインダーが上下逆になったりした場合に、書類が袋状ファイルの中から抜け落ちるといった問題があった。
【０００８】
また、袋状ファイルに収納されている書類の種類はバインダーを開ければ袋状ファイルが透明の場合は外側からある程度確認できるが、バインダーを閉じている状態ではバインダーを開けなければ確認できず、さらに袋状ファイルが不透明な場合には書類を袋状ファイルから取り出さないと書類の種類が確認できずそのため、書類の取り出しなどの作業に手間がかかるという欠点があった。
【０００９】
そこで、本発明は、袋状ファイルからの書類の抜け落ちを防止するとともに、バインダーにファイルされた袋状ファイルに収納されている書類の種類を容易に確認することができる袋状ファイルを提供するものである。
【課題を解決するための手段】
【００１０】
本願請求項１の発明は、フィルムが二重に重ねられて側部及び底部が閉じられ且つ上部に書類を出し入れする開口部が開放された袋状の書類収納部が形成され、
一方の側部には綴じ代が形成され、
前記綴じ代にはバーンダーの綴じ杆が通される綴じ孔が形成され、
前記開口部の上部には、前記開口部を折り曲げにより覆うカバーが形成されるとともに、見出し片が形成されていることを特徴とする袋状ファイルである。
【００１１】
本願請求項２の発明は、前記側部及び底部に幅が可変のマチが形成されていることを特徴とする請求項１に記載の袋状ファイルである。
【００１２】
本願請求項３の発明は、前記綴じ代に補強片が挿入されていることを特徴とする請求項１または２に記載の袋状ファイルである。
【００１３】
本願請求項４の発明は、前記カバーの折り曲げ部にマチが形成されていることを特徴とする請求項１〜３のいずれかに記載の袋状ファイルである。
【発明の効果】
【００１４】
本発明の袋状ファイルは、書類を出し入れする開口部にカバーを折り曲げて覆うことができるので、バインダーの取り扱い際、例えばバインダーが上下逆になったりした場合でも書類が袋状ファイルの中から抜け落ちるのを防止することができる。
【００１５】
本発明の袋状ファイルは、開口部の上部に見出し片が形成されているので、袋状ファイルがバインダーにファイルされた状態であっても、袋状ファイルの外側から収納されている書類の種類を容易に確認することができる。
【００１６】
本発明の袋状ファイルは、側部及び底部さらにはカバーの折り曲げ部に幅を調節することができるマチが形成されているので、厚みのある書類であっても容易に収納することができる。
【図面の簡単な説明】
【００１７】
【図１】（ａ）は本発明の実施例１の袋状ファイルの正面図、（ｂ）は同斜視図である。
【図２】本発明の実施例１の袋状ファイルを展開した一例を示す展開図である。
【図３】本発明の袋状ファイルのカバーをシールで封止した状態を示す図である。
【図４】本発明の袋状ファイルの実施例２の正面図である。
【図５】本発明の実施例２の袋状ファイルを展開した一例を示す展開図である。
【図６】本発明の実施例３の袋状ファイルの正面図である。
【図７】（ａ）は従来の袋状ファイルの正面図、（ｂ）は（ａ）のＢ−Ｂ線断面図である。
【発明を実施するための形態】
【００１８】
本発明の実施例について図面を参照しながら説明する。
【実施例１】
【００１９】
本実施例の袋状ファイルは、図１に示すように、表側の樹脂製フィルム１と裏側の樹脂製フィルム２が重ねられ、上辺は開放されて開口部３が形成され、開口部３を除く底部４、両側の側部５，６の三辺が閉じられて袋状の書類収納部８が形成されている。なお、底部４は樹脂製フィルムの二つ折りによりまた、両側部５，６は溶着シール線７に沿って溶着によりシールされて塞がれて袋状に形成される。
【００２０】
一方の側部６は、バインダーに綴じるために綴じ代９を形成し、この綴じ代９に間隔をおいてバインダーの綴じ具の綴じ杆に通す綴じ孔１０を開ける。なお綴じ代９に形成する綴じ孔１０の数は、袋状ファイルを綴じるバインダーの綴じ杆の間隔に合わせて形成される。
【００２１】
裏側の樹脂製フィルム２の上辺には、書類収納部８に収納された書類が開口部３から抜け落ちて脱落するのを防止するために、開口部３を覆う書類脱落防止用のカバー１１が一体に形成されている。カバー１０には台形の見出し片１１が打ち抜かれて形成されている。なお、図中の１３は見出し片１１の抜き跡である。
【００２２】
底部４、側部５，６及び、カバー１１の接続部には、複数枚のシートからなる厚みのある書類を容易に収納できるようにするため、収納する書類の厚みに応じて接続部の幅を拡げることができるマチ１４が形成されている。
【００２３】
次に、本発明の袋状ファイルの製造方法について説明する。
図２に示すように、袋状ファイルを展開したフィルムは、表側フィルム１、カバー１１と見出し辺１２が上辺に形成された裏側フィルム２が袋状ファイルの底部となる境界の折曲部１５を介して一枚の樹脂製フィルムからなっている。
【００２４】
折曲部１５には書類の厚みに応じて幅が可変となるマチ１４を形成するために複数の折曲線が形成されまた、裏側ファイル２の側部、カバー１１の折曲部にも、同様にマチ１４を形成するための複数の折曲線が形成されている。
【００２５】
表側フィルム１と裏側フィルム２を折曲部１５に沿って谷折りして重ねるとともに、綴じ代９の折曲部１５を谷折りして重ね、両側部５，６の溶着シール線７に沿って高周波シールにより溶着して塞いで袋状にして書類を出し入れする書類収納部を形成し、その後、側部の綴じ代９には綴じ孔を形成する。
【００２６】
こうして形成された袋状ファイルの書類収納部８に書類を入れ、カバー１１を被せる。見出し１２には、種類の内容などを示す見出しを記入したり、見出しシールを貼着したりして書類の内容を表示する。
【００２７】
図３に示すように、袋状ファイルに書類を入れ、カバー１１を被せたのち、封止シール１６を貼着してシールしてカバー１１が開くのを防止して書類を脱落させることなく確実に収納、保管することが可能となる。
【実施例２】
【００２８】
図４及び図５において、裏側樹脂製フィルム２１にカバー２２を形成する樹脂製フィルムと表側樹脂製フィルム２３が重ねられて書類収納部が形成され、書類収納部の上部に間隔を開けて開口部２４が形成される。
【００２９】
一方の側部２５は、綴じ代２６とし、ここに間隔をおいて複数の綴じ孔２７を開ける。なお、綴じ孔２７の数は、実施例１と同様に袋状ファイルを綴じるファイルの綴じ具の綴じ杆の間隔に合わせて形成される。綴じ代２６には、図５に示すように、補強片２８を挿入してもよい。
【００３０】
カバー２２の上辺には見出しを入れる見出し片２９が形成されている。カバー２２と綴じ代２６は、溶着シール線３０に沿って高周波シールにより溶着してふさがれる。
【符号の説明】
【００３１】
１：表側の樹脂製フィルム
２：裏側の樹脂製フィルム
３：開口部
４：底部
５：側部
６：側部
７：溶着シール線
８：書類収納部
９：綴じ代
１０：綴じ孔
１１：カバー
１２：見出し片
１３： 打ち抜き跡
１４：マチ
１５：折曲部
１６：封止シール
２１：裏側樹脂製フィルム
２２：カバー
２３：書類収納部
２４：開口部
２５：側部
２６：綴じ代
２７：綴じ孔
２８：補強片
２９：見出し片
３０：溶着シール線
【図１】
2015006763.tif 000003
【図２】
2015006763.tif 000004
【図３】
2015006763.tif 000005
【図４】
2015006763.tif 000006
【図５】
2015006763.tif 000007
【図６】
2015006763.tif 000008
【図７】
2015006763.tif 000009